(57)【要約】      （修正有）【課題】支持部材をブラシ−ホルダプレートに接合し、かつ組み付け時の互いに対する事前位置決めを確実に行なうようになっている手段を供給する。【解決手段】電流を原動機付き車両の電動ファンセットに供給する装置に関し、電流を前記セットのモータに供給するブラシ−ホルダプレート（５）と、前記モータに給電する電子回路の支持部材（１）とを備え、前記プレート（５）及び前記支持部材（１）は、互いに対して取り付けられ、更に、前記支持部材（１）を前記ブラシ−ホルダプレート（５）に接合し、かつ組み付け時の互いに対する事前位置決めを確実に行なうようになっている手段（１３，１５，１７）を備える。【選択図】図３ａ
2011235882.tif 000002
【特許請求の範囲】
【請求項１】
電流を原動機付き車両の電動ファンセットに供給する装置であって、電流を前記セットのモータに供給するブラシ−ホルダプレート（５）と、前記モータに給電する電子回路（３）の支持部材（１）とを備え、前記プレート（５）及び支持部材（１）は互いに対して取り付けられ、前記装置は、前記支持部材（１）を前記ブラシ−ホルダプレート（５）に接合し、かつ組み付け時の互いに対する事前位置決めを確実に行なうように構成されるようになっている手段（１３，１５，１７）を備えていることを特徴とする装置。
【請求項２】
前記接合手段（１３，１５，１７）は、把持／保持手段（１５）と、位置決め手段（１３，１７）とを含む、請求項１に記載の装置。
【請求項３】
前記支持部材（１）は、鋳造アルミニウムにより作製されている、請求項１または２のいずれかに記載の装置。
【請求項４】
前記接合手段は、把持／保持フィンガ（１５）と、前記ブラシ−ホルダプレートを位置決めする基準表面部（１３，１７）とを含む、請求項１〜３のいずれか１項に記載の装置。
【請求項５】
前記ブラシホルダプレート（５）及び接合手段（１３，１５，１７）は、前記ブラシホルダプレート（５）を前記支持部材（１）に、所定の方向の並進移動、及び前記方向（１０）と平行な軸の回りの回動を組み合わせることにより固定するように構成されている（１３，１５，１７；１８，１９，２０）、請求項１〜４のいずれか１項に記載の装置。
【請求項６】
請求項１〜５のいずれか１項に記載の電流を供給する装置を備える電動ファンセット。
【発明の詳細な説明】
【技術分野】
【０００１】
本発明は、電流を原動機付き車両の電動ファンセットに供給する装置、及びこのような装置を備える原動機付き車両の電動ファンセットに関する。
【背景技術】
【０００２】
現在、原動機付き車両の電動ファンセットは、電流を当該セットのモータに供給するブラシ−ホルダプレートと、前記モータに給電する電子回路の支持部材とを備え、前記プレート及び支持部材は、互いに対して取り付けられている。
【０００３】
２つの部品、すなわちプレート及び支持部材をハンドリングする必要を回避するために、電動ファンセット群のモータのヨークに設けられているプリント回路を使用することが、既に提案されている。このプリント回路は、プリント回路基板（ＰＣＢ）、通常はＩＭＳ（ｉｎｓｕｌａｔｅｄ  ｍｅｔａｌｌｉｃ  ｓｕｂｓｔｒａｔｅ：絶縁金属基板）であり、高出力制御／指令部品及び電子機器電子部品を第１領域に、ブラシ−ホルダプレート（ＢＨＰ）を第２領域に備えている。
【発明の概要】
【発明が解決しようとする課題】
【０００４】
この解決策は、特定の部品群を標準化することができるが、全く新品の基板を新規の諸用途に対応して開発する必要があるという不具合を有している。更に、これらのＩＭＳは高価であり、かつ極めて高温の領域に配置すると、発熱の問題を生じる。
【課題を解決するための手段】
【０００５】
本発明の目的は、これらの不具合を解決することにある。
【０００６】
この目的のために、本発明は、上に説明したように、電流を原動機付き車両の電動ファンセットに供給し、さらに、支持部材をブラシ−ホルダプレートに接合し、かつ組み付け時の互いに対する事前位置決めを確実に行なうようになっている手段を備える装置に関するものである。
【０００７】
前記支持部材の電子回路は、例えば電動ファンセットのモータに給電する高出力及び／又は制御／指令回路である。
【０００８】
前記支持部材は、例えば鋳造アルミニウムからなるプレートであり、このアルミニウムプレートは、ブラシ−ホルダプレートに、突起群により電気的に接続され、これらの突起は、プレートの機械的固定、及び支持部材の機械的固定を容易にする。
【０００９】
前記ブラシ−ホルダプレートは、例えば電動ファンセットのモータのヨークに取り付けられるように構成されている。
【００１０】
前記接合手段は、把持／保持手段と位置決め手段とを有するのが好ましい。
【００１１】
前記接合手段は、把持／保持フィンガと、ブラシ−ホルダプレートを位置決めする基準表面部とを備えていると有利である。
【００１２】
また、前記ブラシ−ホルダプレート及び接合手段は、前記プレートを支持部材に、所定方向の並進移動、及びこの方向と平行な軸の回りの回動を組み合わせることにより固定するように構成されていると有利である。
【００１３】
添付図面を参照して、本発明についての説明を読むことにより、本発明をよく理解することができるものと思う。
【図面の簡単な説明】
【００１４】
【図１】本発明による給電装置の例示的な実施形態を示す斜視図である。
【図２】本発明の接合手段の一部を示す斜視図である。
【図３ａ】ブラシホルダプレートがその支持部材に本発明の接合手段により接合される様子を示す要部の平面図である。
【図３ｂ】図３ａのプレートの一部を示す平面図である。
【発明を実施するための形態】
【００１５】
図１に示すように、本発明は、電流を原動機付き車両の電動ファンセットに供給する装置に関する。この電動ファンセットは、電流を当該セットのモータに供給するブラシホルダプレート５を備えている。前記プレートは、図示しない電動ファンセットモータのヨークに取り付けられるように構成されている。この装置は、更に、前記モータに給電する電子回路の支持部材１を備えている。前記プレート５及び前記支持部材１は、互いに対して取り付けられている。
【００１６】
支持部材１の電子回路３は、例えば電動ファンセットのモータに給電する高出力及び／又は制御／指令回路である。この電子回路３は、大電流コネクタ群３０、及び／又は外部回路への電流を制御／指令するコネクタ群３２を備えている。
【００１７】
支持部材１は、鋳造アルミニウムにより作製され、かつ高出力及び／又は制御／指令電子回路の構成部品群を収容するプレートを備えている。
【００１８】
前記アルミニウムプレートは、帯部材３４により取り囲まれ、この帯部材３４の一部は、ブラシホルダプレート５の周縁部３６に対向するように位置し、帯部材３４及び周縁部３６は、円弧であり、ブラシホルダプレート５を支持部材１に対して組み付け時に回動させることができる。これについては、後に詳細に説明する。帯部材３４及び周縁部３６は、相互当接面を構成している。
【００１９】
このようにして、ブラシホルダプレート５は支持部材１と並んで、放射状に位置している。ブラシホルダプレート５は、支持部材１が存在する平面とほぼ同じ平面にある。
【００２０】
前記接合手段は、帯部材３４及び周縁部３６の近傍に設けられている。従って、この接合手段は、ブラシホルダプレート５の周辺部分、及び／又は支持部材１の周辺部分である。接合手段は、ブラシホルダプレート５の上に設けられている金属部材群と、支持部材１の上に設けられているプラスチック部材群とを備えるか、または逆に、ブラシホルダプレート５の上に設けられるプラスチック部材群と、支持部材１の上に設けられている金属部材群とを備え、これらの金属部材、及びプラスチック部材は、互いに嵌合して事前位置決めが確実に行なわれている。
【００２１】
図２は、既に説明した電動ファンセットの高出力電子回路の支持部材１のみを、上から見た状態を示している。
【００２２】
ブラシホルダプレート５と接触するように構成されている支持部材１の表面１２は、円形のレール１３を有し、この円形のレール１３は、ほぼ垂直の軸１０まわりに、半径１１を有し、かつ第１端部２１及び図示しない第２端部を有する。
【００２３】
表面１２は更に、ブラシホルダプレート５をレール１３に対向するように接合させるフィンガ１５を有し、このフィンガ１５は、レール１３から窓１６を挟んで分離され、ブラシホルダプレート５を支持部材１に嵌め込むようになっている。
【００２４】
表面１２は更に、回動終点基準位置決め当接部材１７を備えている。
【００２５】
図２に対応する支持部材１へのブラシホルダプレート５の組み付けの様子を示す図３ａに示すように、ブラシホルダプレート５は、軸１０を有し、半径１１であり、更にブラシホルダプレート５が軸１０の回りを回動するように作製する場合に、レール１３を摺動することができる円筒状部１９と、ブラシホルダプレート５を支持部材１に係合させ、かつ円筒状部１９をレール１３に接触するようにするための開口部１８であって、少なくともブラシホルダプレート５がフィンガ１５に保持され、かつ把持されたときに、当接部材１７にぴったり合わせる位置決め基準としても機能する、前記開口部１８と、当接部材１７との当接面２０とを備えている。
【００２６】
開口部１８は、円筒状部１９をレール１３に接触させることができるように十分に大きいものである。実際には、開口部１８は、フィンガ１５におけるプレート５を把持する部分の長さと少なくとも同程度の大きさである。
【００２７】
このように、要素１２，１３，１５は、ブラシホルダプレート５を支持部材１の上に軸１０により定められる軸方向位置に保持し、かつブラシホルダプレート５を表面１２とフィンガ１５との間に把持するように構成され、かつ要素１７，２０，及び１３，１９によって、ブラシホルダプレート５の正確な位置決めが可能になる。
【００２８】
再度図１を参照すると、ブラシホルダプレート５及び支持部材１は、互いに対して突起８を介して電気的に接続され、これらの突起８は、支持部材１の電子回路の高出力部分と、プレート５との電気コンタクトを可能にするもので、特に前記回路をブラシ７に接続するために設けられているトラック３８との電気コンタクトを可能にしている。これらの突起８は、ブラシホルダプレート５及び支持部材１を、一括して固定し易くしている。
【００２９】
次に、ブラシホルダプレート５の組み付けについて説明する。
【００３０】
ブラシホルダプレート５を支持部材１に固定するために、当該プレートが表面部１２に当接するようになるまで、軸１０により決定される方向に移動させることにより、また当接面２０に最も近い開口部１８の周縁部２２が、確実に、レール１３の端部２１と対向するようにすることにより、前記プレートを支持部材１に対して押し当てる。
【００３１】
次に、軸１０の回りに回動させることにより、当接面２０を当接部材１７に当接させ、ブラシホルダプレート５を、フィンガ１５と表面１２との間に嵌め込む。
【００３２】
従って、プレートが所定の位置に保持された状態で、電動ファンの給電トラック群を突起群８に半田付けし、これにより、ブラシホルダプレート５を、当該プレートの支持部材１に固定する作業を、ネジを使用することなく完了させることができる。
【符号の説明】
【００３３】
１  支持部材
３  電子回路
５  ブラシホルダプレート
７  ブラシ
８  突起
１０  軸
１１  半径
１２  表面
１３  レール
１５  フィンガ
１６  窓
１７  回動終点基準位置決め当接部材
１８  開口部
１９  円筒状部
２０  当接面
２１  端部
２２  周縁部
３０  大電流コネクタ
３２  コネクタ
３４  帯部材
３６  周縁部
３８  トラック
【図１】
2011235882.tif 000003
【図２】
2011235882.tif 000004
【図３ａ】
2011235882.tif 000005
【図３ｂ】
2011235882.tif 000006
【外国語明細書】
2011235882000001.pdf